(57)【要約】【課題】光源から効率よく放熱することが可能であって、メンテナンスの頻度を低減することが可能な屋外用照明器具を提供する。【解決手段】屋外用照明器具１０００は、筺体１１００と、取付部１２００と、放熱フィン１５００とを備える。筺体１１００は、発光ダイオード１４００を収容するものである。取付部１２００は、筐体１１００に接続されて筐体１１００を支柱１００１に取り付けるためのものである。放熱フィン１５００は、筐体１１００の外側上面１１１０に配置されるものである。取付部１２００は、支柱１００１から筐体１１００に向かって延びる取付軸Ｐを含む。放熱フィン１５００は、取付軸Ｐが延びる方向に直交する方向Ｑに沿って延びている。【選択図】図２
2011154785.tif 000002
【特許請求の範囲】
【請求項１】
発光ダイオードを収容する筐体と、
前記筐体に接続されて前記筐体を支柱に取り付けるための取付部と、
前記筐体の外側上面に配置される放熱フィンとを備え、
前記取付部は、支柱から前記筐体に向かって延びる取付軸を含み、
前記放熱フィンは、前記取付軸が延びる方向に直交する方向に沿って延びている、屋外用照明器具。
【請求項２】
前記筐体の外側上面は、前記取付軸が延びる方向に直交する方向に沿って傾斜されている、請求項１に記載の屋外用照明器具。
【請求項３】
前記放熱フィンと前記取付部との距離が、前記放熱フィンの中央部側において相対的に大きく、前記放熱フィンの端部側において相対的に小さくなるように前記放熱フィンは屈曲されている、請求項１または請求項２に記載の屋外用照明器具。
【請求項４】
複数の前記放熱フィンを備え、
複数の前記放熱フィンは、前記取付軸が延びる方向に並んで配置され、
複数の前記放熱フィンどうしの間隔は、前記放熱フィンの中央部側において相対的に小さく、前記放熱フィンの端部側において相対的に大きい、請求項１から請求項３までのいずれか１項に記載の屋外用照明器具。
【請求項５】
前記筐体に収容される発光ダイオードに電力を供給する２つの電源部を備え、
２つの前記電源部は、前記筐体内の中央において、前記取付軸が延びる方向に直交する方向に沿って並べて配置されている、請求項１から請求項４までのいずれか１項に記載の屋外用照明器具。
【発明の詳細な説明】
【技術分野】
【０００１】
この発明は、一般的には屋外用照明器具に関し、特定的には光源として発光ダイオードを備えた屋外用照明器具に関する。
【背景技術】
【０００２】
近年、発光ダイオード（ＬＥＤ）の技術が飛躍的に進んでいる。屋外で使用される照明器具には、光源として発光ダイオード（ＬＥＤ）が用いられているものがある。
【０００３】
例えば、実用新案登録第３１３１４６２号公報（特許文献１）には、複数の発光ダイオードを光源として構成される警報灯を備える防犯灯が記載されている。
【０００４】
また、特開２００８−３０５７６８号公報（特許文献２）には、白色光の照明光を点灯する複数のＬＥＤと、青色光の照明光を点灯する複数のＬＥＤを備えた光源部を有する屋外用照明器具が記載されている。
【０００５】
このように、防犯灯や屋外用照明器具の光源として発光ダイオードを用いることによって、光源が長寿命になり、屋外用の照明器具が消灯する危険性を低下させることができる。また、光源が長寿命であるので、屋外用照明器具のメンテナンスの頻度を低減することができる。
【先行技術文献】
【特許文献】
【０００６】
【特許文献１】実用新案登録第３１３１４６２号公報
【特許文献２】特開２００８−３０５７６８号公報
【発明の概要】
【発明が解決しようとする課題】
【０００７】
しかしながら、実用新案登録第３１３１４６２号公報（特許文献１）に記載の防犯灯や、特開２００８−３０５７６８号公報（特許文献２）に記載の屋外用照明器具のように、光源として発光ダイオードを用いると、他の光源を用いる場合と比較して、出力が大きく放熱しにくいという問題がある。光源から放熱しにくい場合には、光源の温度が上がらないように、光源の消費電力を小さくすることが考えられる。しかしながら、光源の消費電力を小さくすると、屋外用の照明として十分な明るさが得られないことがある。
【０００８】
一方、発光ダイオード以外の光源を用いると、光源の寿命が短くなり、光源を交換するために頻繁にメンテナンスが必要になる。
【０００９】
そこで、この発明の目的は、光源から効率よく放熱することが可能であって、メンテナンスの頻度を低減することが可能な屋外用照明器具を提供することである。
【課題を解決するための手段】
【００１０】
この発明に従った屋外用照明器具は、筺体と、取付部と、放熱フィンとを備える。筺体は、発光ダイオードを収容するものである。取付部は、筐体に接続されて筐体を支柱に取り付けるためのものである。放熱フィンは、筐体の外側上面に配置されるものである。取付部は、支柱から筐体に向かって延びる取付軸を含む。放熱フィンは、取付軸が延びる方向に直交する方向に沿って延びている。
【００１１】
筺体の外側上面に放熱フィンを備えることによって、放熱面積を増大させて、発光ダイオードを収容する筺体の内部から筺体の外部に、効率よく放熱することができる。
【００１２】
ところで、筺体の外側上面に放熱フィンが配置されると、筺体上や放熱フィン上に埃や塵、砂などの塵埃が溜まりやすくなる。塵埃は、特に、筺体と、筺体を支柱に取り付けるための取付部との間に溜まりやすい。筺体上や放熱フィン上に塵埃が溜まると、塵埃を除去するために屋外用照明器具のメンテナンスが必要になる。光源として長寿命の発光ダイオードを用いていても、塵埃を除去するためのメンテナンスをする必要があると、頻繁にメンテナンスを行わなくてはならなくなる。
【００１３】
そこで、この屋外用照明器具では、放熱フィンは、取付部の取付軸が延びる方向に直交する方向に沿って延びるように配置される。このため、筺体上や放熱フィン上の塵埃は、風や雨によって放熱フィンの延びる方向に沿って流れて、筺体上から流れ落ちるので、塵埃は筺体と取付部との間に溜まりにくくなる。
【００１４】
このようにすることにより、光源から効率よく放熱することが可能であって、メンテナンスの頻度を低減することが可能な屋外用照明器具を提供することができる。
【００１５】
この発明に従った屋外用照明器具においては、筐体の外側上面は、取付軸が延びる方向に直交する方向に沿って傾斜されていることが好ましい。
【００１６】
このようにすることにより、筺体上の塵埃が、風や雨によって外側上面に沿って流されやすくなる。
【００１７】
この発明に従った屋外用照明器具においては、放熱フィンと取付部との距離が、放熱フィンの中央部側において相対的に大きく、放熱フィンの端部側において相対的に小さくなるように放熱フィンは屈曲されていることが好ましい。
【００１８】
このようにすることにより、筺体上の塵埃が、筺体の中央部側から外周部側に流れやすくなり、筐体から流れ落ちやすくなる。
【００１９】
この発明に従った屋外用照明器具は、複数の放熱フィンを備えることが好ましい。複数の放熱フィンは、取付軸が延びる方向に並んで配置され、複数の放熱フィンどうしの間隔は、放熱フィンの中央部側において相対的に小さく、放熱フィンの端部側において相対的に大きいことが好ましい。
【００２０】
このようにすることにより、筺体上の塵埃が、筺体の中央部側から外周部側に流れやすくなり、筐体から流れ落ちやすくなる。
【００２１】
この発明に従った屋外用照明器具は、筐体に収容される発光ダイオードに電力を供給する２つの電源部を備えることが好ましい。２つの電源部は、筐体内の中央において、取付軸が延びる方向に直交する方向に沿って並べて配置されていることが好ましい。
【００２２】
２つの電源部を筺体内の中央に配置することによって、１つの電源部を筺体の一方の端部に配置し、他方の電源部を筺体の他方の端部に配置して電源部どうしの間に広い間隔を設ける場合よりも、筺体の大きさを小さくすることができる。また、筐体内の中央において、２つの電源部を取付軸が延びる方向に直交する方向に沿って並べて配置することによって、筺体上に塵埃を溜まりにくくすることができる。
【発明の効果】
【００２３】
以上のように、この発明によれば、光源から効率よく放熱することが可能であって、メンテナンスの頻度を低減することが可能な屋外用照明器具を提供することができる。
【図面の簡単な説明】
【００２４】
【図１】本発明の第１実施形態に係る屋外用照明器具の全体を模式的に示す図である。
【図２】本発明の第１実施形態に係る屋外用照明器具の全体を示す斜視図である。
【図３】本発明の第１実施形態に係る屋外用照明器具を図２に示すＩＩＩ−ＩＩＩ線の方向から見たときの断面図である。
【図４】本発明の第１実施形態に係る屋外用照明器具を図３に示すＩＶ−ＩＶ線の方向から見たときの断面図である。
【図５】電源部の配置と筺体の形状の例を模式的に示す図である。
【図６】電源部の配置の例を模式的に示す図である。
【図７】本発明の第２実施形態に係る屋外用照明器具の全体を示す斜視図である。
【図８】本発明の第２実施形態に係る屋外用照明器具を図７に示すＶＩＩＩ−ＶＩＩＩ線の方向から見たときの断面図である。
【図９】本発明の第２実施形態に係る屋外用照明器具を図８に示すＩＸ−ＩＸ線の方向から見たときの断面図である。
【図１０】本発明の第２実施形態に係る屋外用照明器具の別の例を模式的に示す図である。
【図１１】本発明の第３実施形態に係る屋外用照明器具の全体を示す上面図である。
【図１２】本発明の第３実施形態に係る屋外用照明器具の全体を示す斜視図である。
【図１３】本発明の第４実施形態に係る屋外用照明器具の全体を示す上面図である。
【図１４】本発明の第５実施形態に係る屋外用照明器具の全体を示す上面図である。
【発明を実施するための形態】
【００２５】
以下、この発明の実施の形態を図面に基づいて説明する。
【００２６】
（第１実施形態）
図１に示すように、この発明の第１実施形態の屋外用照明器具１０００は、主に、筺体１１００と取付部１２００とから構成されている。筺体１１００内には、例えば電源部１３００や発光ダイオード（ＬＥＤ）１４００が収容されている。筺体１１００は、取付部１２００を介して支柱１００１に取り付けられている。支柱１００１は、屋外において地面１００２上に立てられている。支柱１００１内には配線１００３が配置されている。配線１００３は、筺体１１００内の電源部１３００に電力を供給する。電源部１３００は、発光ダイオード１４００に電力を供給する。
【００２７】
図２に示すように、屋外用照明器具１０００の筺体１１００の外側上面１１１０上には、複数の放熱フィン１５００が配置されている。放熱フィン１５００は、支柱１００１から筺体１１００に向かって延びる取付軸Ｐに直交する方向Ｑに沿って延びている。
【００２８】
図３に示すように、屋外用照明器具１０００の筺体１１００の内側上面には、発光ダイオード１４００が配置されている。発光ダイオード１４００は、筺体１１００の内側上面に設置された発光ダイオード基板１４１０上に取り付けられている。発光ダイオード１４００は、レンズ１４２０によって下側から覆われている。筺体１１００の下面は、ガラス板１６００によって形成されている。
【００２９】
筺体１１００内には、２つの電源部１３００が収容されている。２つの電源部１３００は、筺体１１００の内部において、左右方向の中央部に配置されている。
【００３０】
図４に示すように、屋外用照明器具１０００の放熱フィン１５００は、筺体１１００の外側上面１１１０上に、鉛直方向に延びるように配置されている。屋外用照明器具１０００の取付部１２００の内部には、筺体１１００を取り付ける支柱１００１（図１）を収容するための支柱固定金具１２１０が収容されている。支柱１００１を支柱固定金具１２１０に固定することによって、屋外用照明器具１０００全体が支柱１００１に固定される。支柱１００１内部の配線１００３（図１）は、支柱固定金具１２１０に接続される。電源部１３００には、支柱固定金具１２１０を介して、配線１００３から電力が供給される。
【００３１】
図１〜図４に示すように、配線１００３から支柱固定金具１２１０を通して電源部１３００に電力が供給されると、電源部１３００は、供給された電力を発光ダイオード１４００に供給する。このとき、電源部１３００は、交流電圧を直流電圧に変換して供給する。発光ダイオード１４００に電力が供給されると、発光ダイオード１４００と発光ダイオード基板１４１０が発熱する。発光ダイオード１４００は、発光ダイオード基板１４１０を介して筺体１１００の内側上面に取り付けられている。筺体１１００の外側上面１１１０上には、複数の放熱フィン１５００が配置されている。発光ダイオード１４００と発光ダイオード基板１４１０とから発生した熱は、筺体１１００を通して放熱フィン１５００に伝わり、放熱フィン１５００から外部に放熱される。放熱フィン１５００が配置されない場合と比較して放熱面積が大きくなり、効率よく放熱される。
【００３２】
屋外用照明器具１０００は、屋外に配置される。そのため、埃や塵、砂などの塵埃が放熱フィン１５００上や筺体１１００上に載ることがある。しかし、放熱フィン１５００は、取付軸Ｐに直交する方向Ｑに沿って延びているので、雨や風によって、放熱フィン１５００上や筺体１１００上の塵埃は放熱フィン１５００の面に沿って流れて、筺体１１００から下に落ちる。塵埃は、筐体１１００と取付部１２００との間に溜まりにくくなる。
【００３３】
以上のように、屋外用照明器具１０００は、筺体１１００と、取付部１２００と、放熱フィン１５００とを備える。筺体１１００は、発光ダイオード１４００を収容するものである。取付部１２００は、筐体１１００に接続されて筐体１１００を支柱１００１に取り付けるためのものである。放熱フィン１５００は、筐体１１００の外側上面１１１０に配置されるものである。取付部１２００は、支柱１００１から筐体１１００に向かって延びる取付軸Ｐを含む。放熱フィン１５００は、取付軸Ｐが延びる方向に直交する方向Ｑに沿って延びている。
【００３４】
筺体１１００の外側上面１１１０に放熱フィン１５００を備えることによって、放熱面積を増大させて、発光ダイオード１４００を収容する筺体１１００の内部から筺体１１００の外部に、効率よく放熱することができる。
【００３５】
筺体１１００の外側上面１１１０に放熱フィン１５００が配置されると、筺体１１００上や放熱フィン１５００上に埃や塵、砂などの塵埃が溜まりやすくなる。塵埃は、特に、筺体１１００と、筺体１１００を支柱１００１に取り付けるための取付部１２００との間に溜まりやすい。筺体１１００上や放熱フィン１５００上に塵埃が溜まると、塵埃を除去するために屋外用照明器具１０００のメンテナンスが必要になる。光源として長寿命の発光ダイオード１４００を用いていても、塵埃を除去するためのメンテナンスをする必要があると、頻繁にメンテナンスを行わなくてはならなくなる。
【００３６】
そこで、屋外用照明器具１０００では、放熱フィン１５００は、取付部１２００の取付軸Ｐが延びる方向に直交する方向Ｑに沿って延びるように配置される。このため、筺体１１００上や放熱フィン１５００上の塵埃は、風や雨によって放熱フィン１５００の延びる方向に沿って流れて、筺体１１００上から流れ落ちるので、塵埃は筺体１１００と取付部１２００との間に溜まりにくくなる。
【００３７】
このようにすることにより、光源から効率よく放熱することが可能であって、メンテナンスの頻度を低減することが可能な屋外用照明器具１０００を提供することができる。
【００３８】
次に、電源部１３００の配置と放熱の効率、塵埃の溜まりにくさ、光の照射のしやすさとの関係について説明する。図５の（Ａ）に示すように、屋外用照明器具１０００（図１〜図４）の２つの電源部１３００は、筺体１１００内において左右方向の中央部に配置されている。筺体１１００の外側上面１１１０は、電源部１３００が配置されている中央部で最も高く上方向に突出しており、左右の端部では中央部と比較して低くなっている。このようにすることにより、図中に二点鎖線の矢印で示すように、筺体１１００や放熱フィン１５００上の塵埃が雨や風によって流れ落ちやすくなる。また、発光ダイオード１４００と発光ダイオード基板１４１０が筺体１１００に直接、取り付けられているので、発光ダイオード１４００と発光ダイオード基板１４１０で発生した熱が筺体１１００に伝わりやすく、効率よく放熱される。また、発光ダイオード１４００から発せられる光は、電源部１３００などに遮られることがない。
【００３９】
図５の（Ｂ）に示すように、屋外用照明器具１０１０では、電源部１３００を筺体１１０１の左右のそれぞれの端部付近に配置して、筺体１１０１の外側上面１１１１を電源部１３００の形状に沿わせている。この場合には、筺体１１０１の外側上面１１１１の左右の端部が中央部よりも上方向に突出する。図５の（Ｂ）に示す場合にも、発光ダイオード１４００と発光ダイオード基板１４１０が筺体１１０１に直接、取り付けられているので、発光ダイオード１４００と発光ダイオード基板１４１０で発生した熱が筺体１１０１に伝わりやすく、効率よく放熱される。また、発光ダイオード１４００から発せられる光は、電源部１３００などに遮られることがない。しかし、筺体１１０１の外側上面１１１１の左右の端部が高くなると、図中に二点鎖線の矢印で示すように、筺体１１０１や放熱フィン１５０１上の塵埃が雨や風によって流されにくくなる。
【００４０】
図５の（Ｃ）に示すように、屋外用照明器具１０２０では、電源部１３００を筺体１１０２の左右のそれぞれの端部付近に配置して、筺体１１０２の外側上面１１１２を電源部１３００の形状に沿わせずに、平面にしている。この場合には、筺体１１０２や放熱フィン１５０２上の塵埃は、図中に二点鎖線の矢印で示すように、雨や風によって筺体１１０２から流れ落とされる。また、発光ダイオード１４００と発光ダイオード基板１４１０が筺体１１０２に直接、取り付けられているので、発光ダイオード１４００と発光ダイオード基板１４１０で発生した熱が筺体１１０２に伝わりやすく、効率よく放熱される。しかし、図５の（Ｃ）のように、発光ダイオード１４００が電源部１３００の下面よりも上側に取り付けられているので、発光ダイオード１４００から発せられる光の一部が電源部１３００によって遮られてしまう。
【００４１】
図５の（Ｄ）に示すように、屋外用照明器具１０３０では、電源部１３００を筺体１１０３の左右のそれぞれの端部付近に配置して、筺体１１０３の外側上面１１１３を電源部１３００の形状に沿わせずに平面にして、さらに、発光ダイオード１４００を電源部１３００の下面よりも下に配置している。発光ダイオード１４００は、内側フィン１４３０によって筺体１１０３内に支持されている。この場合には、筺体１１０３や放熱フィン１５０３上の塵埃は、図中に二点鎖線の矢印で示すように、雨や風によって筺体１１０３から流れ落とされる。また、発光ダイオード１４００を電源部１３００の下面よりも下に配置することによって、発光ダイオード１４００から発せられる光の一部が電源部１３００に遮られることはなくなる。しかし、発光ダイオード１４００と発光ダイオード基板１４１０は、筺体１１０３の内側上面に直接、取り付けられていない。そのため、図５の（Ａ）〜（Ｃ）に示す場合と比較すると、発光ダイオード１４００で発生した熱を効率よく放熱することができない。
【００４２】
以上のように、図５の（Ａ）に示す屋外用照明器具１０００では、放熱の効率もよく、塵埃も流れ落ちやすく、発光ダイオード１４００から発する光が電源部１３００によって遮られることもない。一方、図５の（Ｂ）に示す屋外用照明器具１０１０では、放熱の効率はよく、発光ダイオード１４００から発せられる光が電源部１３００によって遮られることもないが、塵埃が流れ落ちにくい。図５の（Ｃ）に示す屋外用照明器具１０２０では、放熱の効率はよく、塵埃が流れ落ちやすいが、発光ダイオード１４００から発せられる光が電源部１３００によって遮られてしまう。図５の（Ｄ）に示す屋外用照明器具１０３０では、塵埃が流れ落ちやすく、発光ダイオード１４００から発せられる光が電源部１３００に遮られることがないが、放熱の効率がよくない。
【００４３】
このように、２つの電源部１３００を筺体１１００内の左右方向の中央部に配置することによって、放熱の効率もよく、塵埃も流れ落ちやすく、発光ダイオード１４００から発せられる光が電源部１３００によって遮られることもなくなるようにすることができる。
【００４４】
また、図６の（Ａ）に示すように、屋外用照明器具１０４０では、幅Ｗ１の２つの電源部１３００を、放熱フィン１５０４が延びる方向Ｑに沿って幅Ｗ１が延びるように配置している。このようにすると、筺体の外側上面１１１４において方向Ｑに沿った幅が電源部１３００の幅Ｗ１になる。一方、図６の（Ｂ）に示すように、第１実施形態の屋外用照明器具１０００では、幅Ｗ１の２つの電源部１３００を、放熱フィン１５００が延びる方向Ｑに直交する方向、すなわち、取付軸Ｐが延びる方向に幅Ｗ１が延びるように配置することによって、筺体の外側上面１１１０において方向Ｑに沿った幅Ｗ２を、電源部１３００の幅Ｗ１よりも小さくすることができる。電源部１３００を、図６の（Ｂ）に示すように配置して筺体の外側上面１１１０において方向Ｑに沿った幅を小さくすることによって、筺体の外側上面１１１０上の塵埃が筺体から流れ落ちやすくなる。
【００４５】
以上のように、屋外用照明器具１０００は、筐体１１００に収容される発光ダイオード１４００に電力を供給する２つの電源部１３００を備える。２つの電源部１３００は、筐体１１００内の中央において、取付軸Ｐが延びる方向に直交する方向Ｑに沿って並べて配置されている。
【００４６】
２つの電源部１３００を筺体１１００内の中央に配置することによって、１つの電源部１３００を筺体１１００の一方の端部に配置し、他方の電源部１３００を筺体１１００の他方の端部に配置して電源部１３００どうしの間に広い間隔を設ける場合よりも、筺体１１００の大きさを小さくすることができる。また、筐体１１００内の中央において、２つの電源部１３００を取付軸Ｐが延びる方向に直交する方向Ｑに沿って並べて配置することによって、筺体１１００上に塵埃を溜まりにくくすることができる。
【００４７】
（第２実施形態）
図７に示すように、第２実施形態の屋外用照明器具２０００においては、筺体２１００の外側上面２１１０上には、複数の放熱フィン２５００が配置されている。放熱フィン２５００は、支柱２００１から筺体２１００に向かって延びる取付軸Ｐに直交する方向Ｑに沿って延びている。
【００４８】
図８に示すように、屋外用照明器具２０００の筺体２１００の内部には、発光ダイオード２４００が収容されている。発光ダイオード２４００は、発光ダイオード基板２４１０上に取付られている。発光ダイオード基板２４１０は、アルミ板２７１０に取り付けられている。アルミ板２７１０は、筺体２１００の内側上面から下方向に向かって延びる複数の内側フィン（リブ）２７１１によって支持される。それぞれの内側フィン２７１１は、発光ダイオード２４００のほぼ真上に接続されている。筺体２１００の下面は、ガラス板２６００によって形成されている。
【００４９】
筺体２１００内には、２つの電源部２３００が収容されている。２つの電源部２３００は、筺体２１００の内部において、左右のそれぞれの端部に配置されている。
【００５０】
筺体２１００の外側上面２１１０は、取付軸Ｐ（図７）に直交する方向Ｑに沿って、上面に凸面が形成されるように、湾曲状に、水平面から傾斜されている。
【００５１】
図９に示すように、屋外用照明器具２０００の放熱フィン２５００は、筺体２１００の外側上面２１１０上に、鉛直方向に延びるように配置されている。屋外用照明器具２０００の取付部２２００の内部には、筺体２１００を取り付ける支柱２００１を収容するための支柱固定金具２２１０が収容されている。支柱２００１を支柱固定金具２２１０に固定することによって、屋外用照明器具２０００全体が支柱２００１に固定される。支柱２００１内部の配線は、支柱固定金具２２１０に接続される。電源部２３００（図８）には、支柱固定金具２２１０を介して、配線から電力が供給される。
【００５２】
図７〜図９に示すように、配線から支柱固定金具２２１０を通して電源部２３００に電力が供給されると、電源部２３００は、供給された電力を発光ダイオード２４００に供給する。このとき、電源部２３００は、交流電圧を直流電圧に変換して供給する。発光ダイオード２４００に電力が供給されると、発光ダイオード２４００と発光ダイオード基板２４１０が発熱する。発光ダイオード２４００と発光ダイオード基板２４１０とから発生した熱は、アルミ板２７１０と内側フィン２７１１と筺体２１００とを通して放熱フィン２５００に伝わり、放熱フィン２５００から外部に放熱される。それぞれの内側フィン２７１１が発光ダイオード２４００のほぼ真上に配置されていることによって、発光ダイオード２４００から発生する熱が内側フィン２７１１に伝わりやすくなる。このようにすることにより、発光ダイオード２４００から発生する熱を効率よく筐体２１００と放熱フィン２５００とに伝えて、筐体２１００の外部に放熱することができる。
【００５３】
屋外用照明器具２０００は、屋外に配置される。そのため、埃や塵、砂などの塵埃が放熱フィン２５００上や筺体２１００上に載ることがある。しかし、放熱フィン２５００は、取付軸Ｐに直交する方向Ｑに沿って延びているので、雨や風によって、放熱フィン２５００上や筺体２１００上の塵埃は放熱フィン２５００の面に沿って流れて、筺体２１００から下に落ちる。筐体２１００の外側上面２１１０は、取付軸Ｐが延びる方向に直交する方向Ｑに沿って、上面に凸面が形成されるように湾曲状に傾斜されているので、筐体２１００の左右方向、すなわち、方向Ｑに沿った方向において中央部に載った塵埃も、湾曲状に傾斜された上面に沿って流れて、筐体２１００から下に落ちやすくなる。
【００５４】
以上のように、第２実施形態の屋外用照明器具２０００においては、筐体２１００の外側上面２１１０は、取付軸Ｐが延びる方向に直交する方向Ｑに沿って傾斜されている。
【００５５】
このようにすることにより、筺体２１００上の塵埃が、風や雨によって外側上面２１１０に沿って流されやすくなる。
【００５６】
なお、第２実施形態においては、筺体２１００の外側上面２１１０は湾曲状に傾斜されているが、外側上面２１１０は、斜面状に傾斜されていてもよい。筐体２１００の外側上面２１１０は、例えば平板によって形成されて、取付軸Ｐに直交する方向Ｑに沿って、上面に凸面が形成されるように、斜面状に傾斜されてもよい。このように、外側上面２１１０は、水平面から傾斜されていれば、湾曲状に傾斜されていても、斜面状に傾斜されていてもよい。このようにすることにより、筺体２１００上の塵埃が、風や雨によって凸面に沿って流されやすくなる。
【００５７】
また、図１０の（Ａ）に示すように、第２実施形態の屋外用照明器具２０００（図７）の別の例として、屋外用照明器具２０１０では、筐体２１０１の外側上面２１１１が平面によって形成され、斜面状に、水平面から傾斜されている。外側上面２１１１は、図１０の（Ａ）において右側端部が相対的に高く、左側端部が相対的に低くなるように傾斜されている。放熱フィン２５０１は、傾斜した外側上面２１１１上に取り付けられている。このように、外側上面２１１１が傾斜されていることによって、筺体２１０１上の塵埃が、図中に二点鎖線の矢印で示すように、風や雨によって外側上面２１１１に沿って流されやすくなる。
【００５８】
図１０の（Ｂ）に示すように、第２実施形態の屋外用照明器具２０００（図７）のまた別の例として、屋外用照明器具２０２０では、筐体２０１２の外側上面２１１２が曲面によって形成され、湾曲状に、水平面から傾斜されている。外側上面２１１２は、図１０の（Ｂ）において右側端部が相対的に高く、左側端部が相対的に低くなるように傾斜されている。放熱フィン２５０２は、傾斜した外側上面２１１２上に取り付けられている。このように、外側上面２１１２が傾斜されていることによって、筺体２１０２上の塵埃が、図中に二点鎖線の矢印で示すように、風や雨によって外側上面２１１２に沿って流されやすくなる。
【００５９】
また、図１０の（Ｃ）に示すように、第２実施形態の屋外用照明器具２０００（図７）のさらに別の例として、屋外用照明器具２０３０では、筐体２０１３の外側上面２１１３が平面によって形成され、斜面状に、水平面から傾斜されている。外側上面２１１３は、図１０の（Ｃ）において左右の両端部において相対的に低く、中央部において相対的に高くなるように傾斜されて、外側上面２１１３の上面に凸面が形成されている。放熱フィン２５０３は、傾斜した外側上面２１１３上に取り付けられている。このように、外側上面２１１３が傾斜されていることによって、筺体２１０３上の塵埃が、図中に二点鎖線の矢印で示すように、風や雨によって外側上面２１１３に沿って流されやすくなる。
【００６０】
このように、外側上面２１１１，２１１２，２１１３は、水平面から傾斜されていれば、上面に凸面が形成されていなくてもよいし、上面に凸面が形成されていてもよい。また、外側上面２１１１，２１１２，２１１３は、曲面状に形成されていてもよいし、平面状に形成されていてもよい。
【００６１】
第２実施形態の屋外用照明器具２０００のその他の構成と効果は、第１実施形態の屋外用照明器具１０００（図１〜図６）と同様である。
【００６２】
（第３実施形態）
図１１に示すように、第３実施形態の屋外用照明器具３０００は、主に、筺体３１００と、取付部３２００と、筺体３１００上に配置される複数の放熱フィン３５００を備える。放熱フィン３５００は、取付軸Ｐが延びる方向に直交する方向Ｑに沿って延びるように配置されている。放熱フィン３５００はまた、放熱フィン３５００の中央部側における放熱フィン３５００と取付部３２００との距離Ｄ１が、放熱フィン３５００の端部側における放熱フィン３５００と取付部３２００との距離Ｄ２よりも大きくなるように、放熱フィン３１００の中央部で屈曲されている。
【００６３】
図１２に示すように、屋外用照明器具３０００は、取付部３２００側が低く、取付部３２００と反対側が高くなるように支柱３００１に取り付けられることがある。屋外用照明器具３０００がこのように取り付けられた場合、放熱フィン３５００が斜面を形成するので、図中に二点鎖線の矢印で示すように、塵埃が筺体３１００から流れ落ちやすくなる。
【００６４】
以上のように、第３実施形態の屋外用照明器具３０００においては、放熱フィン３５００と取付部３２００との距離が、放熱フィン３５００の中央部側において相対的に大きく、放熱フィン３５００の端部側、すなわち、筐体３１００の外周部側において相対的に小さくなるように放熱フィン３５００は屈曲されている。
【００６５】
このようにすることにより、筺体３１００上の塵埃が、筐体３１００の中央部側から外周部側に向かって流れやすくなり、筺体３１００から流れ落ちやすくなる。
【００６６】
第３実施形態の屋外用照明器具３０００のその他の構成と効果は、第１実施形態の屋外用照明器具１０００（図１〜図６）と同様である。
【００６７】
（第４実施形態）
図１３に示すように、この発明の第４実施形態の屋外用照明器具４０００は、主に、筺体４１００と、取付部４２００と、筺体４１００上に配置される複数の放熱フィン４５００を備える。複数の放熱フィン４５００は、取付軸Ｐが延びる方向に並んで配置されている。それぞれの放熱フィン４５００は、取付軸Ｐが延びる方向に直交する方向Ｑに沿って延びるように配置されている。複数の放熱フィン４５００はまた、放熱フィン４５００の中央部側における放熱フィン４５００どうしの間隔Ｄ３が、放熱フィン４５００の端部側における放熱フィン４５００どうしの間隔Ｄ４よりも小さくなるように、放熱フィン４５００の中央部側で厚く、放熱フィン４５００の端部側、すなわち、筐体４５００の外周部側で薄くなるように形成されている。
【００６８】
以上のように、第４実施形態の屋外用照明器具４０００は、複数の放熱フィン４５００を備える。複数の放熱フィン４５００は、取付軸Ｐが延びる方向に並んで配置され、複数の放熱フィン４５００どうしの間隔は、放熱フィン４５００の中央部側において相対的に小さく、放熱フィン４５００の端部側において相対的に大きい。
【００６９】
このようにすることにより、筺体４１００上の塵埃が、筺体４１００の中央部側から外周部側に向かって流れやすくなり、筐体４１００から流れ落ちやすくなる。
【００７０】
第４実施形態の屋外用照明器具４０００のその他の構成と効果は、第１実施形態の屋外用照明器具１０００（図１〜図６）と同様である。
【００７１】
（第５実施形態）
図１４に示すように、第５実施形態の屋外用照明器具５０００は、主に、筺体５１００と、取付部５２００と、筺体５１００上に配置される複数の放熱フィン５５００を備える。放熱フィン５５００は、取付軸Ｐが延びる方向に直交する方向Ｑに沿って延びるように配置されている。放熱フィン５５００はまた、放熱フィン５５００の中央部側における放熱フィン５５００と取付部５２００との距離Ｄ５が、放熱フィン５５００の端部側における放熱フィン５５００と取付部５２００との距離Ｄ６よりも大きくなるように、放熱フィン５５００の中央部側で屈曲されている。
【００７２】
また、複数の放熱フィン５５００は、取付軸Ｐが延びる方向に並んで配置されている。それぞれの放熱フィン５５００は、取付軸Ｐが延びる方向に直交する方向Ｑに沿って延びるように配置されている。複数の放熱フィン５５００はまた、放熱フィン５５００の中央部側における放熱フィン５５００どうしの間隔Ｄ７が、放熱フィン５５００の端部側における放熱フィン５５００どうしの間隔Ｄ８よりも小さくなるように、放熱フィン５５００の中央部側で厚く、放熱フィン５５００の端部側で薄くなるように形成されている。
【００７３】
以上のように、第５実施形態の屋外用照明器具５０００においては、放熱フィン５５００と取付部５２００との距離が、放熱フィン５５００の中央部側において相対的に大きく、放熱フィン５５００の端部側、すなわち、筐体５１００の外周部側において相対的に小さくなるように放熱フィン５５００は屈曲されている。
【００７４】
また、第５実施形態の屋外用照明器具５０００は、複数の放熱フィン５５００を備える。複数の放熱フィン５５００は、取付軸Ｐが延びる方向に並んで配置され、複数の放熱フィン５５００どうしの間隔は、放熱フィン５５００の中央部側において相対的に小さく、放熱フィン５５００の端部側、すなわち、筐体５１００の外周部側において相対的に大きい。
【００７５】
このようにすることにより、筺体５１００上の塵埃が、筺体５１００の中央部側から外周部側に流れやすくなり、筐体５１００から流れ落ちやすくなる。
【００７６】
第５実施形態の屋外用照明器具５０００のその他の構成と効果は、第１実施形態の屋外用照明器具１０００（図１〜図６）と同様である。
【００７７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００７８】
１０００，１０１０，１０２０，１０３０，２０００，２０１０，２０２０，２０３０，３０００，４０００，５０００：屋外用照明器具、１００１，２００１：支柱、１１００，１１０１，１１０２，１１０３，２１００，２１０１，２１０２，２１０３，３１００，４１００，５１００：筺体、１１１０，１１１１，１１１２，１１１３，２１１０，２１１１，２１１２，２１１３：外側上面、１２００，２２００，３２００，４２００，５２００：取付部、１３００，２３００：電源部、１４００，２４００：発光ダイオード、１５００，２５００，３５００，４５００，５５００：放熱フィン。
【図１】
2011154785.tif 000003
【図２】
2011154785.tif 000004
【図３】
2011154785.tif 000005
【図４】
2011154785.tif 000006
【図５】
2011154785.tif 000007
【図６】
2011154785.tif 000008
【図７】
2011154785.tif 000009
【図８】
2011154785.tif 000010
【図９】
2011154785.tif 000011
【図１０】
2011154785.tif 000012
【図１１】
2011154785.tif 000013
【図１２】
2011154785.tif 000014
【図１３】
2011154785.tif 000015
【図１４】
2011154785.tif 000016